(57)【要約】  【課題】  棚札表示器が商品陳列棚に対して縦長であっても商品の取り出しの支障にならず、且つ商品取り出しの際に表示器に接触しても該表示器を損傷することのない棚札表示器を提供することにある。  【解決手段】  商品の種類毎に商品陳列棚Ａに設けられ、商品の価格を可変に表示できる表示器本体Ｂ１と、その表示器本体に少なくとも品名が印字された品名ラベルを備えた品名ラベル付き棚札表示器において、前記表示器本体Ｂ１の下部に、品名ラベル６を装着したラベル板Ｂ２を水平軸を中心に回動可能に取り付ける。  【選択図】  図１
0003103787.tif 000002
【実用新案登録請求の範囲】
【請求項１】
商品の種類毎に商品陳列棚に設けられ、商品の価格を可変に表示できる表示器本体と、その表示器本体に少なくとも品名が印字された品名ラベルを備えた品名ラベル付き棚札表示器において、前記表示器本体の下部に、品名ラベルを装着したラベル板を水平軸を中心に回動可能に取り付けたことを特徴とする品名ラベル付き棚札表示器。
【請求項２】
前記品名ラベルは、商品識別情報を機械読み可能にコード化したコードデータを含み、そのコードデータが水平軸より下側に垂下するラベル板の裏側に位置するように装着されていることを特徴とする請求項１記載の品名ラベル付き棚札表示器。
【考案の詳細な説明】
【技術分野】
【０００１】
本考案は、小売店やスーパーマーケット等で商品陳列棚に取り付けられ、商品の価格を可変に表示する電子棚札からなる棚札表示器に関する。
【背景技術】
【０００２】
一般に、スーパーマーケットや小売店等では商品を陳列した商品陳列棚の前面に、その商品の価格等を自由に変更して表示できる電子棚札からなる棚札表示器が取り付けられている。
その棚札表示器は、液晶表示器で構成された価格表示器と、その表示器の脇に品名ラベルが貼付されて構成されており、その為該表示器は横長形態を呈している（例えば、特許文献１参照）。
又、液晶表示器の脇に貼付される品名ラベルにはバーコードが印字されているが、このバーコードは棚卸しや欠品時の発注データ作成の際に商品識別情報をスキャナにより読み取り、入力する為のものである
【０００３】
ところで、上記した棚札表示器は横長形態であっても商品が通常の商品であれば、棚札表示器の横幅寸法よりも商品の種類毎の陳列幅の方が大きい為、十分にその商品について価格表示の機能を果たすことができ、特に問題は生じない。
【０００４】
しかし、七味唐辛子や胡椒のように小ビンに入っている商品では、その商品の陳列幅の方が前記した棚札表示器の横幅よりも狭いため、上記したような横長形態の棚札表示器は配置し難いという問題があった。
【０００５】
尚、上記した問題点については前記した横長形態の棚札表示器を縦にして商品陳列棚に取り付けるということも考えられるが、その場合には棚札表示器が商品陳列棚側の取付部よりも上下方向に大きくはみ出してしまい、お客による商品の取り出しの邪魔になるばかりでなく、商品取り出しの際に棚札表示器に接触して該棚札表示器を損傷する虞れが高いという問題を有する。
【０００６】
【特許文献１】特開２００１−１７８５９９号公報
【考案の開示】
【考案が解決しようとする課題】
【０００７】
本考案は上記した従来の技術が有する問題点に鑑みてなされたもので、その課題とするところは、棚札表示器が商品陳列棚に対して縦長であっても商品の取り出しの支障にならず、且つ商品取り出しの際に表示器に接触しても該表示器を損傷することのない棚札表示器を提供することにある。
【課題を解決するための手段】
【０００８】
上記課題を解決するために本考案が講じた技術的手段、商品の種類毎に商品陳列棚に設けられ、商品の価格を可変に表示できる表示器本体と、その表示器本体に少なくとも品名が印字された品名ラベルを備えた品名ラベル付き棚札表示器において、前記表示器本体の下部に、品名ラベルを装着したラベル板を水平軸を中心に回動可能に取り付けた構成を特徴とする（請求項１）。
表示器本体は液晶表示器を備えた電子棚札で構成され、赤外線通信機能を備えて外部の管理装置から指示された商品データ（例えば、商品の価格、元の価格、割引データ等）を表示する。
ラベル板を回動可能に支持する水平軸は、一本軸、或いは左右分離した分割軸等何れでもよく、要はラベル板が上下方向に回動できればよい。例えば、表示器本体とラベル板を蝶番で連結する。
上記ラベル板は、合成樹脂製の成形品が生産性において有効であるが、ゴム板のように軟らかい材質とした場合は、接触時の損傷を軽減でき更に好適である。
ラベル板に装着する品名ラベルは、裏面に接着層を備えて前記ラベル板に貼着する形態のものに限らず、接着層がなく、ラベル板の表面に透明な板を積層し、その間に挟み込んで使用するものでもよい
【０００９】
上記手段によれば、品名ラベル付き棚札表示器の横幅は表示器本体の横幅のみで狭くなる。そして、その表示器本体の下側に設けた品名ラベルを装着したラベル板は水平軸を中心として上下方向に回動するため、ラベル板を上方に回動すれば表示器本体の範囲内に収まって商品陳列棚下方への突出はなくなり、商品の取り出しの邪魔にならない。
又、ラベル板が水平軸の下方に垂れ下がっている場合でも、接触により該ラベル板は水平軸を中心に回動するためラベル板及び表示器本体を損傷することはない。
【００１０】
そして、前記品名ラベルは、商品識別情報を機械読み可能にコード化したコードデータを含み、そのコードデータが水平軸より下側に垂下するラベル板の裏側に位置するように装着してもよい（請求項２）。
上記手段によれば、ラベル板の高さ寸法（水平軸からラベル板端部までの寸法）を小さくできる。それにより、商品陳列棚下方への突出量を少なくでき、商品を取り出す際にラベル板に接触する虞れを減少でき、商品取り出しの邪魔にならない。
【考案の効果】
【００１１】
本考案の品名ラベル付き棚札表示器は請求項１記載の構成により、表示器の横幅を小さくでき、しかも、ラベル板を上方に回動すれば表示器本体の範囲内に収まって商品陳列棚下方への突出はなくなり、商品の取り出しの邪魔にならない。又、ラベル板が水平軸の下方に垂れ下がっている場合でも、接触により該ラベル板は水平軸を中心に回動するためラベル板及び表示器本体を損傷することはない。
【００１２】
また、請求項２記載の構成により、ラベル板の高さ寸法（水平軸からラベル板端部までの寸法）を小さくできる。それにより、商品陳列棚下方への突出量を少なくでき、商品を取り出す際にラベル板に接触する虞れを減少でき、商品取り出しの邪魔にならない。
【考案を実施するための最良の形態】
【００１３】
以下、本考案の実施の形態の一例を図面に基づいて説明する。
図１は本考案に係る品名ラベル付き棚札表示器が商品陳列棚に取り付けられた状態を示す正面図で、図中、Ａは商品陳列棚、Ｂは品名ラベル付き棚札表示器、Ｂ’は従来の横長形態の棚札表示器、ａ１，ａ２，ａ３は商品陳列棚Ａに陳列されている商品である。
【００１４】
商品陳列棚Ａは、その前面に取付枠１が配置され、その取付枠１に前記品名ラベル付き棚札表示器Ｂ或いは棚札表示器Ｂ’がホルダー２を介して装着されている。
前記取付枠１は、アルミニウム材或いはステンレス材等の金属材、又は合成樹脂材によって横長手方向に伸びる凹溝１’を有した断面略Ｃ字形の枠体に形成され、その凹溝１’の上下の各端部にそれぞれ内向きに突出した係止縁１ａ，１ｂが形成されている。
【００１５】
上記ホルダー２は、表側に品名ラベル付き棚札表示器Ｂ或いは棚札表示器Ｂ’を嵌合保持すると共に、裏側に前記取付枠１の係止縁１ａ，１ｂに対して係着する係合部２ａ，２ｂを備えており、取付枠１の側端より嵌合係着し、所定箇所にスライドして使用する。
【００１６】
上記ホルダー２に装着する品名ラベル付き棚札表示器Ｂは図２に示すように、液晶表示器３と、その側部に該液晶表示器３に表示する内容を管理装置との間で赤外線通信により送受信する赤外線受発光部４、及び液晶表示器３の表示内容が変更された時に所定時間点滅して注意を促すＬＥＤ５が配置された表示器本体Ｂ１と、その表示器本体Ｂ１の下部に水平軸を中心に回動可能に取り付けたラベル板Ｂ２とで構成されている。
【００１７】
表示器本体Ｂ１の液晶表示器３に表示される内容は、管理装置から赤外線通信により受信する商品の価格と、元の価格と割引データである。従って、この液晶表示器３は前記内容を表示するのに必要な最小限の大きさとする。
【００１８】
ラベル板Ｂ２は、商品名Ｘ及び商品識別情報を機械読み可能にコード化したコードデータ（バーコード）Ｙが印字された品名ラベル６を貼着する板状のもので、このラベル板Ｂ２は前記表示器本体Ｂ１の下部に水平軸７を有する蝶番構造で上下回動可能に取り付けられている。
【００１９】
上記品名ラベル６には図２に示すように、表示器本体Ｂ１に対して水平軸７で垂下されたラベル板Ｂ２の表側に商品名が、裏側に商品識別情報をコード化したコードデータ（バーコード）Ｙが位置するように印字されている。
従って、通常は商品名がお客に見えるようにラベル板Ｂ２は水平軸７で下方に垂れ下がっており、商品識別情報を必要とする時、例えば、棚卸しの時はラベル板Ｂ２を上方に持ち上げると該ラベル板Ｂ２は水平軸７を中心として上方に回動し（図２（ｂ）参照）、ラベル板Ｂ２の裏側が表面に現出する（図２（ｃ）参照）。それにより、ラベル板Ｂ２の裏側に表示されているコードデータ（バーコード）Ｙをスキャナで読み取り、商品コードを入力し、次に在庫数をキー入力して棚卸しデータを作成する。この棚卸しデータの作成は、スキャナ付きのハンディーターミナルを店員が操作して行なう。
【００２０】
図３はラベル板Ｂ２に装着する品名ラベル６’の他の例を示し、前記した実施例と同様の形態で上下回動可能に垂下したラベル板Ｂ２の表面側に、商品名Ｘと商品識別情報を機械読み可能にコード化したコードデータ（バーコード）Ｙが現出するよう表示されたものである。この場合は前示実施例に比べて品名ラベル６’の装着面積が広くなる為、ラベル板Ｂ２は大きくなる。
【００２１】
本考案の棚札表示器は図示の形態に限定されず、下記の変形例にも適用できるものである。
（１）ラベル板は１枚板に限らず、高さ方向の中央部で半折できる形態として、通常の半折状態では品名が見え、コードデータはラベル板を広げると見えるようにしても良い。その場合は表示器本体から下方向への突出量を小さくできる。
【図面の簡単な説明】
【００２２】
【図１】本考案に係る棚札表示器の使用状態を示し、（ａ）は正面図、（ｂ）は（ａ）図の（ｂ）−（ｂ）線に沿える拡大縦断側面図。
【図２】棚札表示器の拡大図で、（ａ）は正面図、（ｂ）は同側面図、（ｃ）はラベル板を上方に回動して該ラベル板の裏側を現出させた正面図。
【図３】ラベル板に装着する品名ラベルの他の例を示す正面図。
【符号の説明】
【００２３】
Ａ…商品陳列棚                    Ｂ…品名ラベル付き棚札表示器
Ｂ１…表示器本体                  Ｂ２…ラベル板
３…液晶表示器              ６、６’…品名ラベル
７…水平軸                        Ｘ…商品名
Ｙ…商品識別情報をコード化したコードデータ（バーコード）
【図１】
0003103787.tif 000003
【図２】
0003103787.tif 000004
【図３】
0003103787.tif 000005